(57)【要約】【課題】  ジャムが発生した際の原稿を再セットしてからのリカバリー時間のロスを減少させる。【解決手段】  ジャム検知手段にてジャムを検知したときに原稿給紙リフト板を駆動手段にて降下させる画像形成装置において、原稿の前記原稿給紙リフト板への最初のセット枚数に応じた降下量を算出する算出手段と、前記算出手段で算出した降下量に基づいて前記駆動手段の駆動を制御する駆動制御手段とを備えた。【選択図】  図２
2006044913.tif 000002
【特許請求の範囲】
【請求項１】
ジャム検知手段にてジャムを検知したときに原稿給紙リフト板を駆動手段にて降下させる画像形成装置において、
原稿の前記原稿給紙リフト板への最初のセット枚数に応じた降下量を算出する算出手段と、
前記算出手段で算出した降下量に基づいて前記駆動手段の駆動を制御する駆動制御手段とを備えたことを特徴とする画像形成装置。
【請求項２】
前記セット枚数は前記原稿の枚数に所定の枚数分加えた枚数である請求項１記載の画像形成装置。
【発明の詳細な説明】
【技術分野】
【０００１】
本発明は、画像形成装置に関し、特にジャム発生時における原稿の再セットを容易に、且つ効率的に行うことが可能な画像形成装置に関する。
【背景技術】
【０００２】
従来の複写機等の画像形成装置はジャムが発生しても、原稿給紙リフト板を当該原稿給紙リフト板にセットされた原稿が給紙ローラに加圧される位置まで上昇させていた。
【０００３】
このため、原稿に給紙ローラのローラ痕が付いてしまったり、原稿の再セットの際に当該原稿を動かすことが困難なため、幅合わせができないという問題があった。
【０００４】
そのような問題を解決するため、ジャムが発生すると原稿給紙リフト板を一旦当該原稿給紙リフト板の上下可動範囲の最下限まで降下させる画像形成装置が提案されている。
【０００５】
これは、ユーザが上記最下限まで降下された給紙リフト板に、原稿を最初にセットしていた状態で再セットし、再度スタートキーを押下すると、上記画像形成装置は上記原稿給紙リフト板を、当該原稿給紙リフト板に再セットされた原稿の最上部が給紙ローラに当接する位置まで上昇させる。
【０００６】
上記原稿の最上部が給紙ローラに当接すると、その当接状態を保つように上記原稿給紙リフト板を上昇しながら、原稿を当該原稿の最上部から一枚ずつ搬送し、読取りを行う（特許文献１参照）。
【特許文献１】特開平０８−１１９４６８号公報
【発明の開示】
【発明が解決しようとする課題】
【０００７】
しかしながら、上述した従来技術においては、ジャムが発生すると、その都度、上記原稿給紙リフト板を最下限まで降下させるため、上記原稿を再セットしてから再度搬送を開始するまでのリカバリー時間のロスが大きかった。
【０００８】
そこで本発明は、上記問題に鑑み、ジャム発生時に、原稿の最初のセット枚数に応じた量だけ原稿給紙リフト板を降下させることで、当該原稿を再セットしてからのリカバリー時間のロスを減少させる画像形成装置を提供することを目的とする。
【課題を解決するための手段】
【０００９】
本発明は、ジャム検知手段にてジャムを検知したときに原稿給紙リフト板を駆動手段にて降下させる画像形成装置を前提としている。
【００１０】
本発明は、原稿の前記原稿給紙リフト板への最初のセット枚数に応じた降下量を算出する算出手段と、前記算出手段で算出した降下量に基づいて前記駆動手段の駆動を制御する駆動制御手段とを備えた構成としている。
【００１１】
このようにすれば、ジャム発生時に、原稿の最初のセット枚数に応じた量だけ原稿給紙リフト板を降下させるので、当該原稿を再セットしてからのリカバリー時間のロスを減少させることができる。
【００１２】
また、前記セット枚数は前記原稿の枚数に所定の枚数分加えた枚数である構成としてもよい。
【００１３】
このようにすれば、上記原稿の再セットの際に必要な作業スペースを確保することができ、当該再セットを容易に行うことができる。
【発明の効果】
【００１４】
ジャム発生時に、原稿の最初のセット枚数に応じた量だけ原稿給紙リフト板を降下させるので、当該原稿を再セットしてからのリカバリー時間のロスを減少させることができる。
【発明を実施するための最良の形態】
【００１５】
以下、本発明の実施の形態を画像形成装置としての複写機に適用した場合について図面にしたがって詳細に説明する。
【００１６】
図１は本発明の実施の形態における複写機の内部構造を示す概略図であり、図２は本発明の実施の形態における複写機の概略機能ブロック図である。
【００１７】
図１及び図２に示すように、本発明の実施の形態における複写機には、原稿をセットするための原稿給紙リフト板１を備えている。
【００１８】
上記原稿給紙リフト板１は、例えば、ステッピングモータ等で構成される駆動手段２の駆動力により、ラック２ａと共に上下動可能にしており、当該原稿給紙リフト板１の位置はラック２ａの位置に基づいて位置検知手段３により把握できる構成としている。なお、上記原稿給紙リフト板１の到達最上限位置に対応するラック２ａの位置情報は後述する算出手段４が記憶している。
【００１９】
ユーザが上記原稿給紙リフト板１に原稿をセットし、最初のスタートキー５の押下がなされると、その旨を受けて、位置検知手段３はそのときの当該原稿給紙リフト板１の位置に対応するラック２ａの位置を検知し、当該検知した位置情報を記憶手段６に格納する。
【００２０】
さらに、駆動制御手段７は上記駆動手段２の駆動を開始し、上記ラック２ａを上昇させて上記原稿給紙リフト板１を上昇させる。
【００２１】
上記原稿給紙リフト板１が上昇していくにつれて、原稿の当該原稿給紙リフト板１に最初にセットされた最上部を光センサ等で構成される上限検知手段８が検知すると、その旨を受けて、上記位置検知手段３はそのときの当該原稿給紙リフト板１の位置に対応するラック２ａの位置を検知し、当該検知した位置情報を上記記憶手段６に格納する。
【００２２】
さらに、上記駆動制御手段７は上記駆動手段２を制御して上記原稿の搬送を開始し、給紙ローラ２ｂが原稿１枚の搬送を終えるとその１枚分に相当する量だけ、上記原稿給紙リフト板１を上昇させるようにする。
【００２３】
その後、上限検知手段８が上記原稿の最上部を検知する度に当該原稿は上記給紙ローラ２ｂから１枚１枚搬送され、当該原稿の最上部が搬送開始時には当該給紙ローラ２ｂに常に当接した状態になるようにしている。
【００２４】
このようにして上記給紙ローラ２ｂによって１枚ずつ搬送された原稿が、分離部２ｃを経て読取部２ｄに到達して読取られ、読取られた原稿の画像データが用紙に転写される画像形成処理が行われることとなる。
【００２５】
一方、上記画像形成処理を行う途中で、用紙搬送ジャムが発生した場合、上記原稿給紙リフト板１を降下させて、ユーザは上記原稿を最初にセットしていた状態で再セットを行い、再スタートさせることとなる。
【００２６】
ジャム検知手段９がジャムを検知し、その旨を上記算出手段４に通知すると、当該算出手段４は、その旨を受けて起動し、上記記憶手段６に格納されている位置情報と自らが保持する位置情報とに基づいて減算処理を行い、当該原稿の最初のセット枚数に応じたラック２ａの降下量を算出することで上記原稿給紙リフト板１の降下量を算出する。
【００２７】
上記のように算出された降下量に基づいて、上記駆動制御手段７は上記駆動手段２を制御し、上記ラック２ａを降下させて上記原稿給紙リフト板１を降下させる。
【００２８】
ユーザが降下した上記原稿給紙リフト板１に、上記原稿を最初にセットした状態で再セットし、再度スタートキー５を押下すると、上記駆動制御手段７は上記駆動手段２の駆動を再開し、上記ラック２ａを上昇させて当該原稿給紙リフト板１を上昇させる。
【００２９】
上記原稿給紙リフト板１が上昇していくにつれて、上記原稿の当該原稿給紙リフト板１に再セットされた最上部を上記上限検知手段８が検知すると、上記駆動制御手段７は上記駆動手段２を制御して再び上記原稿の搬送を開始し、上記給紙ローラ２ｂが当該原稿１枚の搬送を終えるとその１枚分に相当する量だけ、当該原稿給紙リフト板１を上昇させるようにする。
【００３０】
その後、上記上限検知手段８が上記原稿の最上部を検知する度に当該原稿は上記給紙ローラ２ｂから１枚１枚搬送され、当該原稿の最上部が搬送開始時には当該給紙ローラ２ｂに常に当接した状態になる。
【００３１】
このようにして上記給紙ローラ２ｂから１枚ずつ搬送された原稿が、分離部２ｃを経て読取部２ｄに到達して読取られ、読取られた原稿の画像データが用紙に転写される画像形成処理が行われる。
【００３２】
このようにすれば、ジャム発生時に、原稿の最初のセット枚数に応じた量だけ原稿給紙リフト板を降下させるので、当該原稿を再セットしてからのリカバリー時間のロスを減少させることができる。
【００３３】
なお、原稿をセットして最初にスタートキー５を押下する以前に原稿のセット枚数を原稿の枚数にさらに所定枚数分加えたものとする操作を行う、すなわち、予め上記原稿給紙リフト板１の位置をさらに所定量降下できるようにして、ジャム発生時の当該原稿給紙リフト板１の降下量を適宜調整してもよい。
【００３４】
このようにすれば、上記原稿の再セットの際に必要な作業スペースを確保することができ、当該再セットを容易に行うことができる。
【００３５】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００３６】
ジャム発生時に、原稿の最初のセット枚数に応じた量だけ原稿給紙リフト板を降下させるので、当該原稿を再セットしてからのリカバリー時間のロスを減少させることができ有用である。
【図面の簡単な説明】
【００３７】
【図１】本発明の実施の形態における複写機の内部構造を示す概略図である。
【図２】本発明の実施の形態における複写機を示す機能ブロック図である。
【符号の説明】
【００３８】
１    原稿給紙リフト板
２    駆動手段
４    算出手段
７    駆動制御手段
９    ジャム検知手段
【図１】
2006044913.tif 000003
【図２】
2006044913.tif 000004